【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
発光部を内包する管球部及び一対の封止部を有する発光管と、
回転中心軸を含む所定の平面で切断したとき、一方側の少なくとも端部が削除された形状を有し、前記発光部から射出される光を被照明領域側に反射するリフレクタと、
前記管球部における前記一方側を覆うように配置され、前記発光部からの射出光を前記発光部へ向けて反射する反射部を有する副鏡とを備える光源装置であって、
前記副鏡は、接着剤によって前記副鏡を前記封止部に固定するための固定部をさらに有し、前記固定部は、前記一対の封止部のうち少なくとも片方の封止部の外周を半周を超えて覆うように構成されていることを特徴とする光源装置。
【請求項２】
請求項１に記載の光源装置において、
前記固定部は、セメントによって前記封止部に固定されていることを特徴とする光源装置。
【請求項３】
請求項１又は２に記載の光源装置において、
前記固定部のうち一つは、セメントによって前記リフレクタに固定されていることを特徴とする光源装置。
【請求項４】
請求項１〜３のいずれかに記載の光源装置において、
前記固定部は、前記固定部における前記封止部の長手方向に沿った長さが、前記一方側から他方側に向かって徐々に短くなるように構成されていることを特徴とする光源装置。
【請求項５】
請求項１〜４のいずれかに記載の光源装置において、
前記固定部は、前記封止部の外周を全周覆っていることを特徴とする光源装置。
【請求項６】
請求項１〜５のいずれかに記載の光源装置において、
前記反射部の内面は、非球面形状を有し、前記反射部で反射される光が前記発光部に向けて反射されるように構成されていることを特徴とする光源装置。
【請求項７】
請求項１〜６のいずれかに記載の光源装置を備える照明装置と、
前記照明装置からの照明光を画像情報に応じて変調する電気光学変調装置と、
前記電気光学変調装置からの変調光を投写する投写レンズとを備えることを特徴とするプロジェクタ。
【手続補正２】
【補正対象書類名】明細書
【補正対象項目名】００１９
【補正方法】変更
【補正の内容】
【００１９】
本発明のプロジェクタは、本発明の光源装置を備える照明装置と、前記照明装置からの照明光を画像情報に応じて変調する電気光学変調装置と、前記電気光学変調装置からの変調光を投写する投写レンズとを備えることを特徴とする。
【手続補正３】
【補正対象書類名】明細書
【補正対象項目名】００２４
【補正方法】変更
【補正の内容】
【００２４】
副鏡４０は、図１及び図２に示すように、副鏡４０を封止部２４に固定するための固定部４４をさらに有する。固定部４４は、セメントｃによって封止部２４に固定されている。固定部４４は、セメントｃによってリフレクタ３０に固定されている。固定部４４は、封止部２４の外周を全周覆うように構成されている。また、固定部４４は、図２（ｃ）に示すように、固定部４４における封止部２４の長手方向Ａに沿った長さＢが、一方側から他方側に向かって徐々に短くなるように構成されている。固定部４４の基端部４５ａと先端部４５ｂとを結ぶ直線４５ｃと、発光部２８の長手方向Ａに沿った軸とのなす角度は、例えば４５°である。
【手続補正４】
【補正対象書類名】明細書
【補正対象項目名】００２６
【補正方法】変更
【補正の内容】
【００２６】
２．光源装置の製造方法
光源装置の製造方法は、発光管２０、リフレクタ３０及び副鏡４０をあらかじめ準備しておき、まず、このうち副鏡４０を発光管２０に固定した後、副鏡４０の固定部４４の部分で発光管２０をリフレクタ３０に固定する。このうち、発光管２０及びリフレクタ３０の製造方法はよく知られているので、ここでは、副鏡４０の製造方法を詳細に説明する。
【手続補正５】
【補正対象書類名】明細書
【補正対象項目名】００３７
【補正方法】変更
【補正の内容】
【００３７】
図４は、実施形態１に係るプロジェクタ１０００の光学系を示す図である。
図５は、照明装置１００を説明するために示す図である。図５（ａ）は照明装置１００の縦断面図であり、図５（ｂ）は照明装置１００の横断面図である。
【手続補正６】
【補正対象書類名】明細書
【補正対象項目名】００３８
【補正方法】変更
【補正の内容】
【００３８】
実施形態１に係るプロジェクタ１０００は、図４に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写レンズ６００とを備えたプロジェクタである。
【手続補正７】
【補正対象書類名】明細書
【補正対象項目名】００４７
【補正方法】変更
【補正の内容】
【００４７】
第１レンズアレイ１２０は、凹レンズ９０からの光を複数の部分光束に分割する光束分割光学素子としての機能を有し、照明光軸１００ａｘと直交する面内にマトリクス状に配列される複数の第１小レンズ１２２を備えた構成を有している。図示による説明は省略するが、第１小レンズ１２２の外形形状は、液晶装置４００Ｒ，４００Ｇ，４００Ｂの画像形成領域の外形形状に関して相似形である。
【手続補正８】
【補正対象書類名】明細書
【補正対象項目名】００５１
【補正方法】変更
【補正の内容】
【００５１】
色分離導光光学系２００は、図４に示すように、ダイクロイックミラー２１０，２２０と、反射ミラー２３０，２４０，２５０と、入射側レンズ２６０，リレーレンズ２７０とを有している。色分離導光光学系２００は、照明装置１００から射出される照明光束を赤色光、緑色光及び青色光の３つの色光に分離して、それぞれの色光を照明対象となる液晶装置４００Ｒ，４００Ｇ，４００Ｂに導く機能を有している。
【手続補正９】
【補正対象書類名】明細書
【補正対象項目名】００５９
【補正方法】変更
【補正の内容】
【００５９】
クロスダイクロイックプリズム５００から射出されたカラー画像は、投写レンズ６００によって拡大投写され、スクリーンＳＣＲ上で画像を形成する。
【手続補正１０】
【補正対象書類名】明細書
【補正対象項目名】００６６
【補正方法】変更
【補正の内容】
【００６６】
実施形態１に係るプロジェクタ１０００は、実施形態１に係る光源装置１０を備える照明装置１００と、照明装置１００からの照明光を画像情報に応じて変調する電気光学変調装置としての液晶装置４００Ｒ，４００Ｇ，４００Ｂと、液晶装置４００Ｒ，４００Ｇ，４００Ｂからの変調光を投写する投写レンズ６００とを備えるため、輝度を低下させずに薄型化を図ることが可能であり、さらには、耐衝撃性の高い本発明の光源装置１０を備えるため、高輝度かつ薄型で、さらには耐衝撃性の高いプロジェクタとなる。
【手続補正１１】
【補正対象書類名】明細書
【補正対象項目名】００７２
【補正方法】変更
【補正の内容】
【００７２】
［変形例３］
図８は、変形例３に係る光源装置１０ｃの縦断面図である。
変形例３に係る光源装置１０ｃは、基本的には実施形態１に係る光源装置１０と同様の構成を有するが、リフレクタの種類が実施形態１に係る光源装置１０の場合とは異なる。すなわち、変形例３に係る光源装置１０ｃは、図８に示すように、リフレクタとして、放物面リフレクタ３０ｃを備える。
【手続補正１２】
【補正対象書類名】明細書
【補正対象項目名】００９０
【補正方法】変更
【補正の内容】
【００９０】
１０，１０ａ，１０ｂ，１０ｃ，１０ｄ…光源装置、２０…発光管、２２…管球部、２４，２６…封止部、２８…発光部、３０，３０ｂ，３０ｃ…リフレクタ、３０ａｘ，３０ｂａｘ，３０ｃａｘ…回転中心軸、４０，４０ａ，４０ｂ，４０ｄ…副鏡、４２，４２ｂ，４０ｄ…反射部、４４，４４ａ，４４ｂ，４４ｄ…固定部、４５ａ…基端部、４５ｂ…先端部、４５ｃ…直線、４６，４６ａ，４６ｂ，４６ｄ…接続部、４８ｄ…延出部、５０…管状部材、５０ａ，５０ｂ…管状部、５０ａｘ…管状部材の軸、５２…膨張部、５４ａ，５４ｂ…切断片、５６…末端部、５８…副鏡基材、６０…反射層、１００…照明装置、１００ａｘ…照明光軸、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…液晶装置、５００…クロスダイクロイックプリズム、６００…投写レンズ、１０００…プロジェクタ、ｃ…セメント、Ｒ１…膨張部を含む範囲、Ｌ１，Ｌ２…光、Ｘ１，Ｘ２，Ｘ３，Ｘ４…切り込み、Ｘ１ａ，Ｘ２ａ…端部、Ｓ…所定の平面、ＳＣＲ…スクリーン